(57)【要約】【課題】  意匠性を確保しながらも、折り畳んだ際に折り畳み状態の内側となる表面シートに皺を生じにくくする。【解決手段】  音声情報の記録及び再生が可能な音声情報記録／再生部３０と、音声情報記録／再生部３０をその一部を表裏から挟み込んで互いに接着された２枚の支持シート２０ａ，２０ｂと、音声情報記録／再生部３０及び音声情報記録／再生部３０を挟み込んで接着された支持シート２０ａ，２０ｂを挟み込んで支持シート２０ａ，２０ｂと接着された２枚の表面シート１０ａ，１０ｂとを有し、表面シート１０ａ，１０ｂ及び支持シート２０ａ，２０ｂが折り部４にて折り畳み可能に構成された音声メッセージ伝達シート１において、折り畳み状態における内側となる表面シート１０ａの支持シート２０ａと接着されない領域の長手方向が折り部４と垂直となっている。【選択図】図１
2007094120.tif 000002
【特許請求の範囲】
【請求項１】
音声情報の記録及び再生が可能な音声情報記録／再生手段と、該音声情報記録／再生手段をその一部を表裏から挟み込んで互いに接着された２枚の支持シートと、前記音声情報記録／再生手段及び該音声情報記録／再生手段を挟み込んで接着された前記２枚の支持シートを挟み込んで前記２枚の支持シートと接着された２枚の表面シートとを有し、前記２枚の表面シート及び支持シートが、前記音声情報記録／再生手段が挟み込まれていない領域にて折り畳み可能に構成された音声メッセージ伝達シートにおいて、
前記２枚の表面シートのうち折り畳み状態における内側となる表面シートは、前記支持シートと接着されない領域が長手方向成分を有し、該長手方向が前記表面シート及び支持シートの折り部と垂直であることを特徴とする音声メッセージ伝達シート。
【請求項２】
請求項１に記載の音声メッセージ伝達シートにおいて、
前記２枚の支持シートのうち折り畳み状態にて外側となる支持シートは、前記折り部にて２つに分離されていることを特徴とする音声メッセージ伝達シート。
【発明の詳細な説明】
【技術分野】
【０００１】
本発明は、音声情報の記録及び再生が可能な音声メッセージ伝達シートに関し、特に、折り畳み可能に構成された音声メッセージ伝達シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報を記憶可能に構成された音声記憶機能付カードが、特許文献１に開示されている。
【０００６】
図５は、従来の音声記憶機能付カードの一構成例を示す図であり、（ａ）は内部構造を示す図、（ｂ）は断面図である。
【０００７】
本従来例は図５に示すように、２枚のカード１０２，１０３が折り部１０４を介して連接し、マイクロフォン１３１、スピーカ１３２、回路部１３３、回路基板１３４及びスイッチ１３５等からなる音声情報記憶部１３０が、カード１０３と、このカード１０３に対向するカード１０５とに挟み込まれて構成されている。音声情報記憶部１３０を挟み込んだ２枚のカード１０３，１０５は、音声情報記憶部１３０の周囲にて接着剤１４０で互いに貼着されている。
【０００８】
このように構成された音声記憶機能付カードは、スイッチ１３５が操作されながらマイクロフォン１３１を介して音声情報が入力されると、入力された音声情報が回路部１３３に記憶され、その後、スイッチ１３５が押下されると、回路部１３３に記憶された音声情報がスピーカ１３２から出力される。
【特許文献１】特公平０３−４５４３３号公報
【発明の開示】
【発明が解決しようとする課題】
【０００９】
上述した音声記憶機能付カードは、折り部を介して折り畳み可能に構成されているが、折り畳み状態の内側となる面は２枚のカードが折り部を跨ぐようにして連接しているものの、折り畳み状態の外側となる面は折り部を跨ぐようにカードが連接しておらず、そのために意匠性が損なわれている。意匠性を向上させるためには、折り畳み状態の外側となる面も折り部を跨ぐように１枚のカードで構成することが好ましい。
【００１０】
しかしながら、折り畳み状態の外側となる面を折り部を跨ぐように１枚のカードで構成した場合、折り畳み状態において、折り畳み状態の内側となるカードと外側となるカードとの間にて周径に差が生じ、この周径の差によって内側となるカードが縮む方向に力が作用する。この際、折り畳み状態の内側となるカードと外側となるカードとは音声情報記憶部の周囲でしか互いに接着されていないため、折り畳み状態の内側となるカードの外側となるカードと接着されていない部分にて周径の差による皺が生じてしまうという問題点がある。
【００１１】
本発明は、上述したような従来の技術が有する問題点に鑑みてなされたものであって、意匠性を確保しながらも、折り畳んだ際に折り畳み状態の内側となる表面シートに皺を生じにくくすることができる音声メッセージ伝達シートを提供することを目的とする。
【課題を解決するための手段】
【００１２】
上記目的を達成するために本発明は、
音声情報の記録及び再生が可能な音声情報記録／再生手段と、該音声情報記録／再生手段をその一部を表裏から挟み込んで互いに接着された２枚の支持シートと、前記音声情報記録／再生手段及び該音声情報記録／再生手段を挟み込んで接着された前記２枚の支持シートを挟み込んで前記２枚の支持シートと接着された２枚の表面シートとを有し、前記２枚の表面シート及び支持シートが、前記音声情報記録／再生手段が挟み込まれていない領域にて折り畳み可能に構成された音声メッセージ伝達シートにおいて、
前記２枚の表面シートのうち折り畳み状態における内側となる表面シートは、前記支持シートと接着されない領域が長手方向成分を有し、該長手方向が前記表面シート及び支持シートの折り部と垂直であることを特徴とする。
【００１３】
上記のように構成された本発明においては、音声情報記録／再生手段を挟み込んだ２枚の支持シートとこの２枚の支持シートを挟み込んだ２枚の表面シートを折り部にて折り畳むと、折り畳み状態の内側となる表面シートと外側となる表面シートとの間にて周径に差が生じ、この周径の差によって内側となる表面シート及び支持シートが縮む方向に力が作用する。この際、音声情報記録／再生手段と２枚の支持シート、並びに支持シートと表面シートとはそれぞれ互いに接着されているものの、表面シートは、音声情報記録／再生手段が支持シートに挟み込まれていない領域、すなわち音声情報記録／再生手段に対向する領域にて支持シートとは接着されていないため、折り畳み状態の内側となる表面シートのこの部分にて周径の差による皺が生じる。この皺は折り部と平行に発生するため、折り畳み状態における内側となる表面シートのうち支持シートと接着されない領域の長手方向が表面シート及び支持シートの折り部と垂直となっていれば、表面シートと支持シートとを折り部にて折り畳んだ際に皺が生じにくくなる。
【００１４】
また、２枚の支持シートのうち折り畳み状態にて外側となる支持シートが、折り部にて２つに分離されている構成とした場合は、表面シートと支持シートとを折り部にて折り畳んだ際、２つに分離された支持シート間が伸びるように作用し、それにより、折り畳み状態の内側となる支持シートや表面シートが縮む方向に作用する力の大きさが小さくなり、皺がさらに生じにくくなる。
【発明の効果】
【００１５】
以上説明したように本発明においては、２枚の表面シートのうち折り畳み状態における内側となる表面シートのうち支持シートと接着されない領域の長手方向が表面シート及び支持シートの折り部と垂直となっているため、内側となる表面シートが支持シートと接着されていない領域における折り部と平行となる部分の長さが短くなり、それにより、表出する２枚の表面シートをそれぞれ折り部を介して１枚の構成としながらも、折り畳んだ際に折り畳み状態の内側となる表面シートに皺を生じにくくすることができる。
【００１６】
また、２枚の支持シートのうち折り畳み状態にて外側となる支持シートが、折り部にて２つに分離されている構成としたものにおいては、表面シートと支持シートとを折り部にて折り畳んだ際、２つに分離された支持シート間が伸びるように作用し、それにより、折り部の強度を確保しながらも皺をさらに生じにくくすることができる。
【発明を実施するための最良の形態】
【００１７】
以下に、本発明の実施の形態について図面を参照して説明する。
【００１８】
図１は、本発明の音声メッセージ伝達シートの実施の一形態を示す図であり、（ａ）は折り畳み状態における内側の面の構成を示す図、（ｂ）は内部構造を示す図、（ｃ）は（ａ）に示したＡ−Ａ’断面図である。
【００１９】
本形態は図１に示すように、第１紙片領域２と第２紙片領域３とが折り部４を介して折り畳み可能に連接して構成されており、音声情報の記録及び再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。また、第１紙片領域２は、その一部の領域に開口部２ａが形成されており、音声情報記録／再生部３０は、この第１紙片領域２内にて支持シート２０ａ，２０ｂに挟み込まれている。
【００２０】
音声情報記録／再生部３０は、ピエゾ素子４１、振動板４２及びフィルムシート（不図示）からシート状に構成されて音声情報を出力するための音声情報出力部４０と、外部から入力された音声情報が記録されるメモリ領域を具備する薄型のＩＣチップ３４やコンデンサ、抵抗等の回路素子が搭載されるとともに、外部からＩＣチップ３４に音声情報を記録するための接続端子３５を含む導電パターンが形成された音声基板３２と、音声基板３２に形成された導電パターンの一部を導通させるためのスイッチ３３と、音声基板３２に接続され、音声基板３２に電源を供給するための柔軟性を有してなるペーパー電池３１とから構成されており、これにより、音声情報記録／再生部３０は、音声情報の記録及び再生が可能に構成されている。音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、接続端子３５を介して入力された音声情報をメモリ領域に記録し、また、メモリ領域に記録された音声情報を音声情報出力部４０を介して出力する制御を行う。また、スイッチ３３は、ＩＣチップ３４のメモリ領域に記録された音声情報を音声情報出力部４０を介して出力する際に操作されるものである。
【００２１】
図２は、図１に示した音声メッセージ伝達シート１の積層状態を示す図である。
【００２２】
図２に示すように、支持シート２０ａにおいては、音声情報記録／再生部３０と積層された場合に、スイッチ３３、ＩＣチップ３４及び音声情報出力部４０と対向する領域に穴２２，２３，２４ａがそれぞれ形成されており、また、表面シート１０ａの開口部２ａに対向する領域にも開口部２ａと同じ大きさ及び形状の穴２５ａが形成されている。
【００２３】
また、支持シート２０ｂにおいては、音声情報記録／再生部３０と積層された場合に、ペーパー電池３１及び音声情報出力部４０と対向する領域に穴２１，２４ｂがそれぞれ形成されており、また、表面シート１０ａの開口部２ａに対向する領域にも開口部２ａと同じ大きさ及び形状の穴２５ｂが形成されている。また、折り部４と対向する領域にて２つに分離されている。
【００２４】
このように、支持シート２０ａの、スイッチ３３、ＩＣチップ３４及び音声情報出力部４０と対向する領域に穴２２，２３，２４ａがそれぞれ形成され、また、支持シート２０ｂの、ペーパー電池３１及び音声情報出力部４０と対向する領域に穴２１，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。この場合、音声情報記録／再生部３０の薄い部分、例えば音声基板３２の部分を支持シート２０ａ，２０ｂにより挟み込むことによって音声基板３２が固定される。また、表面シート１０ａ，１０ｂは、支持シート２０ａ，２０ｂに貼着されているため、音声情報記録／再生部３０に凹凸があった場合でも、押し付けることにより凹むことはあったとしても、インクジェット方式のような押しつける力がないものであれば平坦な状態を保持できるため印字も可能となる。
【００２５】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２６】
図３（ａ）に示すように、支持シート２０ａのスイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００２７】
また、図３（ｂ）に示すように、支持シート２０ｂのペーパー電池３１と対向する領域に形成された穴２１はペーパー電池３１よりも小さく、また、音声情報出力部４０と対向する領域に形成された穴２４ｂは音声情報出力部４０よりも小さくなっている。
【００２８】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２９】
音声情報記録／再生部３０は、上述したようにその一部が支持シート２０ａ，２０ｂに挟み込まれるため、支持シート２０ａ，２０ｂに対向しない領域がそれぞれ存在する。音声情報記録／再生部３０が支持シート２０ａに対向しない領域は長手方向成分Ｘ（Ｘ1＋Ｘ2＋Ｘ3）を有するが、音声情報記録／再生部３０が図１〜図３に示すような方向で支持シート２０ａ，２０ｂに挟み込まれることにより、音声情報記録／再生部３０の支持シート２０ａに対向しない領域の長手方向は折り部４と垂直となっている。
【００３０】
また、２枚の表面シート１０ａ，１０ｂのうち、支持シート２０ａの穴２２，２３を介してスイッチ３３及びＩＣチップ３４と対向する側の表面シート１０ａにおいては、第１紙片領域２において、支持シート２０ａの穴２２を介してスイッチ３３と対向する領域にスイッチ３３を操作するための再生ボタン２ｃが印刷され、また、支持シート２０ａの穴２４ａを介して音声情報出力部４０と対向する領域に、音声情報出力部４０から出力された音声を外部に出力するための微細な穴が羅列されてなる音声出力領域２ｄが形成されている。このように微細な穴が羅列されてなる音声出力領域２ｄが形成されているため、音声情報出力部４０が表裏を表面シート１０ａ，１０ｂで覆われた状態であっても、音声情報出力部４０から出力される音量の低下を補うことができる。なお、音声出力領域２ｄにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、再生ボタン２ｃにおいては、印刷によって表面シート１０ａ上に設けておかず、表面シート１０ａに情報が印刷された後に、スイッチ３３に対向する領域にシールを貼付することによって設けることも考えられる。
【００３１】
また、表面シート１０ａの第２紙片領域３には、折り部４を介して折り畳んだ場合に開口部２ａと対向する領域に、宛先情報が記載されたラベルを貼付したり、宛先情報を印刷あるいは記入したりするための宛先情報表示領域３ａが設けられているとともに、その他の領域に、この音声メッセージ伝達シート１の発送元から発送先に通知すべき情報を印刷あるいは記入するための通知情報表示領域３ｂが設けられている。
【００３２】
また、表面シート１０ｂには、表面シート１０ａの開口部２ａに対向する領域に開口部２ａと同じ大きさ及び形状の開口部２ｅが形成されている。
【００３３】
以下に、上記のように構成された音声メッセージ伝達シートの製造方法について説明する。
【００３４】
まず、支持シート２０ａ，２０ｂに穴２１，２２，２３，２４ａ，２４ｂを形成する。
【００３５】
次に、音声情報記録／再生部３０を支持シート２０ａ，２０ｂに挟み込み、支持シート２０ａ，２０ｂの互いに対向する面に施された粘着加工によって音声情報記録／再生部３０を固定し、その状態で支持シート２０ａ，２０ｂを互いに接着する。
【００３６】
次に、音声情報記録／再生部３０を挟み込んだ支持シート２０ａ，２０ｂを表面シート１０ａ，１０ｂで挟み込み、支持シート２０ａ，２０ｂの表面シート１０ａ，１０ｂと対向する面に施された粘着加工によって、支持シート２０ａ，２０ｂと表面シート１０ａ，１０ｂとを接着する。
【００３７】
その後、開口部２ａ，２ｂ及び穴２５ａ，２５ｂを形成するとともに、表面シート１０ａ及び支持シート２０ａの折り部４に筋押しにより折り線を形成し、音声メッセージ伝達シート１が完成する。
【００３８】
以下に、上述した音声メッセージ伝達シート１の使用方法について説明する。
【００３９】
上記のように製造された音声メッセージ伝達シート１は、まず、音声基板３２に設けられた接続端子３５が音声入力源に接続され、音声メッセージ伝達シート１の発送元から発送先に伝達したい音声情報が接続端子３５を介してＩＣチップ３４に記録される。
【００４０】
次に、宛先情報表示領域３ａに、ラベルの貼付等によって宛先情報が付与されるとともに、通知情報表示領域３ｂに情報が印刷あるいは記入される。
【００４１】
その後、表面シート１０ａが内側となるように折り部４にて折り畳まれ、音声メッセージ伝達シート１の発送先に発送される。この際、表面シート１０ａの宛先情報表示領域３ａが設けられた第２紙片領域３が第１紙片領域２によって覆われるものの、第１紙片領域２の宛先情報表示領域３ａと対向する領域には開口部２ａが形成されているため、宛先情報表示領域３ａに付与された宛先情報は折り畳み状態であっても外部から視認可能となっている。また、折り部４にて折り畳まれた音声メッセージ伝達シート１は、例えば窓開き封筒に封入されて発送されることが考えられるが、その際、窓開き封筒の窓開き部分から宛先情報表示領域３ａを視認可能とすることになるため、開口部２ａ及び宛先情報表示領域３ａの位置を、窓開き封筒における切手の貼付位置が確保されるような位置に設定することになる。
【００４２】
図４は、図１〜図３に示した音声メッセージ伝達シート１の折り畳み操作による作用を説明するための図であり、（ａ）は折り畳み状態における内側の面を示す図、（ｂ）は断面図である。
【００４３】
図１〜図３に示した音声メッセージ伝達シート１を折り部４にて折り畳むと、折り畳み状態の内側となる表面シート１０ａと外側となる表面シート１０ｂとの間にて周径に差が生じ、この周径の差によって内側となる表面シート１０ａ及び支持シート２０ａが縮む方向に力が作用する。
【００４４】
ここで、上述したように、音声情報記録／再生部３０は、その一部のみが支持シート２０ａ，２０ｂに挟み込まれることから、支持シート２０ａによって覆われない領域が存在するため、図４（ａ）の斜線で示すその領域においては、表面シート１０ａが支持シート２０ａに接着されない領域となる。そのため、この部分において折り畳み状態の内側となる表面シート１０ａに皺が生じることになるが、この皺は折り部４と平行に発生するため、上述したように、音声情報記録／再生部３０の支持シート２０ａに対向しない領域の長手方向が折り部４と垂直となっていることにより、表面シート１０ａの支持シート２０ａと接着されない領域の長手方向が折り部４と垂直となっていれば、表面シート１０ａが支持シート２０ａと接着されていない領域における折り部４と平行となる部分の長さが短くなり、皺が生じにくくなる。
【００４５】
また、２枚の支持シート２０ａ，２０ｂのうち折り畳み状態にて外側となる支持シート２０ｂが、折り部４にて２つに分離されているため、図４（ｂ）に示すように、音声メッセージ伝達シート１を折り部４にて折り畳んだ際、２つに分離された支持シート２０ｂ間が伸びるように作用し、それにより、折り畳み状態の内側となる支持シート２０ａや表面シート１０ａが縮む方向に作用する力の大きさが小さくなる。一方、２枚の支持シート２０ａ，２０ｂのうち折り畳み状態にて内側となる支持シート２０ａは折り部４にて２つに分離されていない。これにより、折り部４における強度が必要以上に弱くなることはなく、皺をさらに生じにくくすることができる。
【００４６】
折り部４を介して折り畳まれた音声メッセージ伝達シート１が発送先に届けられた後、音声メッセージ伝達シートが折り畳み状態から見開かれ、再生ボタン２ｂが押下されると、ＩＣチップ３４に記録された音声情報が音声情報出力部４０から出力されることになる。これにより、音声メッセージ伝達シート１の発送元から発送先に伝達したい音声情報が発送先に伝達されることになる。
【図面の簡単な説明】
【００４７】
【図１】本発明の音声メッセージ伝達シートの実施の一形態を示す図であり、（ａ）は折り畳み状態における内側の面の構成を示す図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１〜図３に示した音声メッセージ伝達シートの折り畳み操作による作用を説明するための図であり、（ａ）は折り畳み状態における内側の面を示す図、（ｂ）は断面図である。
【図５】従来の音声記憶機能付カードの一構成例を示す図であり、（ａ）は内部構造を示す図、（ｂ）は断面図である。
【符号の説明】
【００４８】
１    音声メッセージ伝達シート
２    第１紙片領域
２ａ，２ｂ    開口部
２ｃ    再生ボタン
２ｄ    音声出力領域
３    第２紙片領域
３ａ    宛先情報表示領域
３ｂ    通知情報表示領域
４    折り部
１０ａ，１０ｂ    表面シート
２０ａ，２０ｂ    支持シート
２１，２２，２３，２４ａ，２４ｂ，２５ａ，２５ｂ    穴
３０    音声情報記録／再生部
３１    ペーパー電池
３２    音声基板
３３    スイッチ
３４    ＩＣチップ
３５    接続端子
４０    音声情報出力部
４１    ピエゾ素子
４２    振動板
【図１】
2007094120.tif 000003
【図２】
2007094120.tif 000004
【図３】
2007094120.tif 000005
【図４】
2007094120.tif 000006
【図５】
2007094120.tif 000007